(57)【特許請求の範囲】
【請求項１】
（ａ）作業者が手で把持することのできる装置本体２８と、
（ｂ）ロール状清拭部材であって、
半径方向に連通した多数の連続孔を有し、同軸の装着孔６７を有する清拭部材と、
（ｃ）装置本体２８に設けられ、清拭部材の中心部より液体を供給する手段であって、
装着孔６７に挿通し、清拭部材と軸線まわりに一体的に回転し、液体を供給する同軸の液体供給孔５を有する回転軸４と、
回転軸の基端部に設けられる回転管継手６８と、
回転管継手に接続される液体供給用可撓管２０と、
液体供給用可撓管に液体を圧送する液体源３２，３４とを含む液体供給手段と、
（ｄ）この清拭部材を回転駆動させる手段であって、
装置本体２８に設けられ、回転軸４の前記基端部を、回転軸線まわりに回転駆動する出力軸６９を有する回転駆動源１７，１８と、
回転軸４の前記基端部と、回転駆動源の出力軸６９とを接続する軸継手７０とを含む回転駆動手段と、
（ｅ）清拭部材の中心軸線と平行に設けられ、清拭部材に付着した汚物と前記供給された液体とを負圧吸引して除去する除去手段であって、
装置本体２８に基端部が設けられ、清拭部材の外側方で清拭部材に沿って延びるハウジング２６であって、このハウジングには、吸引チャンバー８が形成され、清拭部材に臨んで吸引チャンバー８に連なる吸引口９が形成されるハウジング２６と、
ハウジングの吸引チャンバー８に接続される吸引用可撓管２２と、
吸引用可撓管に接続される負圧源３０，３６，３７，３９とを含む除去手段とを含むことを特徴とする清拭装置。
【請求項２】
（ａ）作業者が手で把持することのできる装置本体と、
（ｂ）ロール状清拭部材であって、
装置本体に、その清拭部材の軸線まわりに回転自在に設けられ、
少なくとも表面は、液体を含浸することができる多孔質の弾性材料から成り、前記表面が人体に接触する清拭部材と、
（ｃ）装置本体に設けられ、清拭部材を、その軸線まわりに回転駆動する回転駆動手段と、
（ｄ）装置本体に設けられ、清拭部材の前記表面に液体を供給する液体供給手段と、
（ｅ）装置本体に設けられ、清拭部材の前記表面に付着した汚物と前記供給された液体とを、清拭部材の人体に接触する表面から、周方向にずれた位置で、負圧吸引して除去する除去手段とを含むことを特徴とする清拭装置。
【請求項３】
清拭部材は、
半径方向に連通した多数の連続孔を有し、同軸の装着孔６７を有し、
液体供給手段は、
装着孔６７に挿通し、清拭部材と軸線まわりに一体的に回転し、液体を供給する同軸の液体供給孔５を有する回転軸４と、
回転軸の基端部に設けられる回転管継手６８と、
回転管継手に接続される液体供給用可撓管２０と、
液体供給用可撓管に液体を圧送する液体源３２，３４とを含み、
回転駆動手段は、
装置本体２８に設けられ、回転軸４の前記基端部を、回転軸線まわりに回転駆動する出力軸６９を有する回転駆動源１７，１８と、
回転軸４の前記基端部と、回転駆動源の出力軸とを接続する軸継手７０とを含むことを特徴とする請求項２記載の清拭装置。
【請求項４】
清拭部材は、
柔軟で液体浸透性のある材料から成り、同軸の取付孔７２を有する清拭部材本体２ａと、
取付孔７２に挿通して清拭部材本体に固定され、液体浸透性があり、かつ清拭部材本体よりも硬い材料から成る芯体３とを有することを特徴とする請求項３記載の清拭装置。
【請求項５】
芯体は、液体供給手段の回転軸４に、その回転軸の遊端部に向けて軸線方向に取外し可能に装着され、
回転軸の基端部寄りで、清拭部材本体と芯体との端面に当接する取外し用端板１４ａが設けられ、
この取外し用端板は、
回転軸が挿通する挿通孔７３を有し、清拭部材本体の自然状態の外径よりも小さい外径を有する剛性の偏平な環状に形成されることを特徴とする請求項４記載の清拭装置。
【請求項６】
除去手段は、
装置本体に基端部が設けられ、清拭部材の外側方で清拭部材に沿って延びるハウジング２６であって、このハウジングには、吸引チャンバー８が形成され、清拭部材に臨んで吸引チャンバー８に連なる吸引口９が形成されるハウジング２６と、
ハウジングの吸引チャンバー８に接続される吸引用可撓管２２と、
吸引用可撓管に接続される負圧源３０，３６，３７，３９とを含むことを特徴とする請求項４または５記載の清拭装置。
【請求項７】
除去手段はさらに、
補助ローラ６ａ，６ｂを有し、この補助ローラ６ａ，６ｂは、
清拭部材とハウジングとの間に配置され、
清拭部材本体の表面に、清拭部材本体の全長にわたって、接触し、
装置本体に回転自在に設けられることを特徴とする請求項６記載の清拭装置。
【請求項８】
補助ローラは、
清拭部材の回転方向に沿うハウジングの幅内で、清拭部材本体の周方向に間隔をあけて複数本設けられることを特徴とする請求項７記載の清拭装置。
【請求項９】
補助ローラをその補助ローラの軸線まわりに回転駆動する補助回転駆動手段をさらに含み、この補助回転駆動手段は、
前記回転軸４の動力を補助ローラの基端部に伝達する歯車列を含むことを特徴とする請求項７記載の清拭装置。
【請求項１０】
ハウジングの遊端部に液吐出口１０が設けられ、液吐出口１０に、液体を供給する補助液体供給手段が設けられることを特徴とする請求項６〜９のうちの１つに記載の清拭装置。
【請求項１１】
補助液体供給手段は、
液吐出口１０に接続され、ハウジングの吸引チャンバー内に配設され、装置本体が外方に延びる補助液体用可撓管２４と、
補助液体用可撓管に補助液体を圧送する補助液体源３３，３４とを含むことを特徴とする請求項１０記載の清拭装置。
【請求項１２】
清拭部材に液体を供給する液体供給手段の液体源３２，３４は、流量制御可能であり、除去手段の負圧源３０，３６，３７，３９は、吸引流量を制御可能であり、
手動操作によって、液体の流量を大きくするにつれて、負圧源の吸引流量を大きくまたは負圧の絶対値を大きく制御する制御手段を含むことを特徴とする請求項６記載の清拭装置。
【請求項１３】
除去手段はさらに、
（ａ）一対の破砕ローラ６１，６３であって、
清拭部材とハウジングとの間に、清拭部材本体の周方向に隣接して配置され、
清拭部材本体の全長にわたって延び、装置本体に回転自在に設けられる破砕ローラと、
（ｂ）破砕ローラを、それらの軸線まわりに相互の逆回転方向に、清拭部材本体の表面に付着している汚物を挟み込むように、回転駆動する破砕駆動手段とを含むことを特徴とする請求項７〜１２のうちの１つに記載の清拭装置。
【請求項１４】
破砕ローラは、
清拭部材の回転方向に沿う複数本の補助ローラ６ａ，６ｂ相互間に配置されることを特徴とする請求項１３記載の清拭装置。
【請求項１５】
破砕駆動手段は、前記回転軸４の動力を破砕ローラの基端部に伝達する歯車列１４ｂ，６２を含むことを特徴とする請求項１３または１４記載の清拭装置。
【発明の詳細な説明】
【０００１】
【発明の属する技術分野】
本発明は、たとえば老人などの被介護者のおむつを取外した後に、その被介護者の人体を清拭するための清拭装置に関する。
【０００２】
【従来の技術】
従来から、おむつを使用する介護、看護を必要とする被介護者のおむつを交換するにあたり、その使用したおむつを取外した後、介護者が、タオル、またはちり紙などを用いて、被介護者の人体を清浄している。この作業は、特に排便後のおむつを被介護者から取外した後、手間のかかる厄介な重労働になる。
【０００３】
【発明が解決しようとする課題】
本発明の目的は、排便、排尿後の被介護者の人体を、簡便な作業で清浄化することができるようにした清拭装置を提供することである。
【０００４】
【課題を解決するための手段】
本発明は、（ａ）作業者が手で把持することのできる装置本体２８と、
（ｂ）ロール状清拭部材であって、
半径方向に連通した多数の連続孔を有し、同軸の装着孔６７を有する清拭部材と、
（ｃ）装置本体２８に設けられ、清拭部材の中心部より液体を供給する手段であって、
装着孔６７に挿通し、清拭部材と軸線まわりに一体的に回転し、液体を供給する同軸の液体供給孔５を有する回転軸４と、
回転軸の基端部に設けられる回転管継手６８と、
回転管継手に接続される液体供給用可撓管２０と、
液体供給用可撓管に液体を圧送する液体源３２，３４とを含む液体供給手段と、
（ｄ）この清拭部材を回転駆動させる手段であって、
装置本体２８に設けられ、回転軸４の前記基端部を、回転軸線まわりに回転駆動する出力軸６９を有する回転駆動源１７，１８と、
回転軸４の前記基端部と、回転駆動源の出力軸６９とを接続する軸継手７０とを含む回転駆動手段と、
（ｅ）清拭部材の中心軸線と平行に設けられ、清拭部材に付着した汚物と前記供給された液体とを負圧吸引して除去する除去手段であって、
装置本体２８に基端部が設けられ、清拭部材の外側方で清拭部材に沿って延びるハウジング２６であって、このハウジングには、吸引チャンバー８が形成され、清拭部材に臨んで吸引チャンバー８に連なる吸引口９が形成されるハウジング２６と、
ハウジングの吸引チャンバー８に接続される吸引用可撓管２２と、
吸引用可撓管に接続される負圧源３０，３６，３７，３９とを含む除去手段とを含むことを特徴とする清拭装置である。
【０００５】
また本発明は、（ａ）作業者が手で把持することのできる装置本体と、
（ｂ）ロール状清拭部材であって、
装置本体に、その清拭部材の軸線まわりに回転自在に設けられ、
少なくとも表面は、液体を含浸することができる多孔質の弾性材料から成り、前記表面が人体に接触する清拭部材と、
（ｃ）装置本体に設けられ、清拭部材を、その軸線まわりに回転駆動する回転駆動手段と、
（ｄ）装置本体に設けられ、清拭部材の前記表面に液体を供給する液体供給手段と、
（ｅ）装置本体に設けられ、清拭部材の前記表面に付着した汚物と前記供給された液体とを、清拭部材の人体に接触する表面から、周方向にずれた位置で、負圧吸引して除去する除去手段とを含むことを特徴とする清拭装置である。
【０００６】
本発明に従えば、好ましい実施の形態では、ロール状清拭部材を回転駆動させ、この清拭部材の中心部より外周方向に向かって液体を供給し、かつ、清拭部材の中心軸線と平行に設けられていて、ロール状清拭部材に付着した汚物と中心部より供給される洗浄用の液体とを同時に負圧吸引して除去し、清拭部材の表面を絶えず清潔に保持する。
【０００７】
また本発明は、清拭部材は、
半径方向に連通した多数の連続孔を有し、同軸の装着孔６７を有し、
液体供給手段は、
装着孔６７に挿通し、清拭部材と軸線まわりに一体的に回転し、液体を供給する同軸の液体供給孔５を有する回転軸４と、
回転軸の基端部に設けられる回転管継手６８と、
回転管継手に接続される液体供給用可撓管２０と、
液体供給用可撓管に液体を圧送する液体源３２，３４とを含み、
回転駆動手段は、
装置本体２８に設けられ、回転軸４の前記基端部を、回転軸線まわりに回転駆動する出力軸６９を有する回転駆動源１７，１８と、
回転軸４の前記基端部と、回転駆動源の出力軸とを接続する軸継手７０とを含むことを特徴とする。
【０００８】
また本発明は、清拭部材は、
柔軟で液体浸透性のある材料から成り、同軸の取付孔７２を有する清拭部材本体２ａと、
取付孔７２に挿通して清拭部材本体に固定され、液体浸透性があり、かつ清拭部材本体よりも硬い材料から成る芯体３とを有することを特徴とする。
【０００９】
また本発明は、芯体は、液体供給手段の回転軸４に、その回転軸の遊端部に向けて軸線方向に取外し可能に装着され、
回転軸の基端部寄りで、清拭部材本体と芯体との端面に当接する取外し用端板１４ａが設けられ、
この取外し用端板は、
回転軸が挿通する挿通孔７３を有し、清拭部材本体の自然状態の外径よりも小さい外径を有する剛性の偏平な環状に形成されることを特徴とする。
【００１０】
また本発明は、除去手段は、
装置本体に基端部が設けられ、清拭部材の外側方で清拭部材に沿って延びるハウジング２６であって、このハウジングには、吸引チャンバー８が形成され、清拭部材に臨んで吸引チャンバー８に連なる吸引口９が形成されるハウジング２６と、
ハウジングの吸引チャンバー８に接続される吸引用可撓管２２と、
吸引用可撓管に接続される負圧源３０，３６，３７，３９とを含むことを特徴とする。
【００１１】
本発明に従えば、清拭部材が装着されている回転軸の一方の遊端部を、後述の図１、図２、図９のブランケットを着脱可能に取外すことによって、またはヒンジ７４で開くことによって、開放し、清拭部材を容易に交換できる。回転軸４の回転力を確実に清拭部材に伝達できるよう、清拭部材本体２ａ，２ｂの中心部に比較的強固な芯体３を設ける。
【００１２】
また本発明は、除去手段はさらに、
補助ローラ６ａ，６ｂを有し、この補助ローラ６ａ，６ｂは、
清拭部材とハウジングとの間に配置され、
清拭部材本体の表面に、清拭部材本体の全長にわたって、接触し、
装置本体に回転自在に設けられることを特徴とする。
【００１３】
また本発明は、補助ローラは、
清拭部材の回転方向に沿うハウジングの幅内で、清拭部材本体の周方向に間隔をあけて複数本設けられることを特徴とする。
【００１４】
また本発明は、補助ローラをその補助ローラの軸線まわりに回転駆動する補助回転駆動手段をさらに含み、この補助回転駆動手段は、
前記回転軸４の動力を補助ローラの基端部に伝達する歯車列を含むことを特徴とする。
【００１５】
本発明に従えば、清拭部材と、これと平行に設けられた負圧吸引手段との間に１または複数、たとえば２つの補助ローラ６ａ，６ｂを設け、清拭部材の回転をスムーズに行わせるとともに、清拭部材の洗浄効果を向上させる。
【００１６】
また本発明は、ハウジングの遊端部に液吐出口１０が設けられ、液吐出口１０に、液体を供給する補助液体供給手段が設けられることを特徴とする。
【００１７】
また本発明は、補助液体供給手段は、
液吐出口１０に接続され、ハウジングの吸引チャンバー内に配設され、装置本体が外方に延びる補助液体用可撓管２４と、
補助液体用可撓管に補助液体を圧送する補助液体源３３，３４とを含むことを特徴とする。
【００１８】
本発明に従えば、装置先端部に洗浄液の液吐出口１０を設け、必要により人体に付着した汚物に直接液体を噴射して、洗浄することができる。
【００１９】
また本発明は、清拭部材に液体を供給する液体供給手段の液体源３２，３４は、流量制御可能であり、除去手段の負圧源３０，３６，３７，３９は、吸引流量を制御可能であり、
手動操作によって、液体の流量を大きくするにつれて、負圧源の吸引流量を大きくまたは負圧の絶対値を大きく制御する制御手段を含むことを特徴とする。
【００２０】
本発明に従えば、清拭部材の中心部より外周部に向かって供給される液体の流量と、負圧吸引力とを連動させ、流量もしくは吸引力の何れかの一方の値を手動で制御する時、他方の値が自動的に適正値に制御される。
【００２１】
また本発明は、除去手段はさらに、
（ａ）一対の破砕ローラ６１，６３であって、
清拭部材とハウジングとの間に、清拭部材本体の周方向に隣接して配置され、
清拭部材本体の全長にわたって延び、装置本体に回転自在に設けられる破砕ローラと、
（ｂ）破砕ローラを、それらの軸線まわりに相互の逆回転方向に、清拭部材本体の表面に付着している汚物を挟み込むように、回転駆動する破砕駆動手段とを含むことを特徴とする。
【００２２】
また本発明は、破砕ローラは、
清拭部材の回転方向に沿う複数本の補助ローラ６ａ，６ｂ相互間に配置されることを特徴とする。
【００２３】
また本発明は、破砕駆動手段は、前記回転軸４の動力を破砕ローラの基端部に伝達する歯車列１４ｂ，６２を含むことを特徴とする。
【００２４】
本発明に従えば、清拭部材に付着した固形汚物もしくは半固形状の汚物を、回転する一対の破砕ローラで粉砕流動化して破砕することにより、廃液として廃棄し易くする。
【００２５】
【発明の実施の形態】
図１は、本発明の実施の一形態の清拭装置１の構成を簡略化して示す斜視図である。この清拭装置１は、回転駆動するロール状清拭部材２の中心部より、液供給パイプ２０から導入された洗浄液が供給される。洗浄液により適度に濡れた回転する清拭部材２により、人体に付着した汚物を拭い取る。清拭部材２に付着した汚物は、洗浄液と一緒に、清拭部材２と平行に設けられた吸引部２６により、吸引パイプ２２を通して廃棄される。
【００２６】
清拭部材２とハウジングである吸引部２６との間には、補助ローラ６が清拭部材２の表面に接触して従動回転可能なように装着されていて、清拭部材２の回転をスムーズに行わせる働きをしている。清拭装置１の先端部には、先端液吐出口１０が設けられており、液供給パイプ２４と繋がっている。必要により、この先端液吐出口１０から噴出される液体により、人体を直接洗浄することができる。モータカバー１９は、この清拭装置本体１を操作する場合の把持部となっている。
【００２７】
図２は、清拭装置本体１の縦断面図である。以下この図２を使って、内部構造を詳しく説明する。清拭部材２は、比較的柔軟な材料、半径方向に連通した多数の連続孔を有する多孔質の弾性材料で形成された清拭部材本体２ａと、この清拭部材本体２ａの中心部に一体に固着された比較的強固な材料で形成された中空の芯体３とから構成されている。この清拭部材本体２ａおよびその芯体３は液体の浸透性を持っており、芯体３中心から供給された液体は、芯体３を通過して清拭部材本体２ａの外周部に流出してくる。清拭部材本体２ａは、同軸の取付孔７２を有し、芯体３は、この取付孔７２に挿通して清拭部材本体２ａに固定される。芯体３もまた、清拭部材本体７ａと同様に液体浸透性があり、前述のように清拭部材本体２ａよりも硬い材料、たとえばプラスチックなどの材料から成り、半径方向に連通した多数の連続孔を有する。芯体３は同軸の装着孔６７を有し、この装着孔６７には、同軸に回転軸４が取外し可能に挿通され、芯体３と回転軸４とは、清拭部材２の軸線まわりに一体的に回転することができる。
【００２８】
この清拭部材本体２ａおよび芯体３からなる清拭部材２を保持する回転軸４は、内部に軸線方向に延びる液体供給孔である中空孔１４が設けられており、芯体３と接触する部分には幾つかの液供給口５が、半径方向に延びてあけられている。回転軸４の図２の右端には、半径方向にポート１５が設けられており、固定部２８に設けられた液供給溝１６、吸引部２６に設けられた液供給孔２１を介して、液供給パイプ２０と回転軸４の中空孔１４とが、液体の流通経路として繋がっている。
【００２９】
さらに、この回転軸４の図２の右端は、軸受１１を介して装置本体である固定部２８に回転可能な状態で保持されていて、減速機１７を介してモータ１８により回転駆動される。モータ１８の外周にはモータカバー１９が装着されており、このカバー１９が清拭装置１を操作するときの把持部となる。
【００３０】
吸引部２６は、清拭部材２と平行に配置されており、清拭部材２と対応する部分には吸引チャンバー８、および複数の吸引口９が設けられている。吸引チャンバー８は、その端壁に形成された吸引孔２３を介して、吸引パイプ２２に流体の流通経路として繋がっている。
【００３１】
吸引部２３と清拭部材２との間には、複数個の補助ローラ６が、補助ローラ軸７を介して吸引部２６、したがって装置本体である固定部２８に、回転可能な状態で装着されている。これにより、吸引部２６の吸引力により、清拭部材２が変形し回転しにくくなることを防止するとともに、補助ローラ６で清拭部材２の表面を拭き、清拭部材表面に付着した汚れを落とす役割を兼ねている。
【００３２】
ブラケット２７は、回転軸４の他端（図２の左）を回転保持するため、吸引部２６に脱着可能な状態で装着されている。清拭部材２を交換する場合には、このブラケット２７を取外して行う。清拭部材本体２ａは、タオル生地またはスポンジなどのような比較的柔らかい材料で形成されており、これと一体に固着されている芯体３は比較的強固な材料で形成されている。芯体３を比較的強固な材料にすることにより、清拭部材２を回転軸４にその回転軸４の軸線方向に移動して脱着可能で、かつ、その回転運動を清拭部材２ａに充分に伝達されるように装着することができる。清拭部材２の図２の右側には、回転軸４上に脱着可能に、かつ、その中心部が芯体３と当接する形で、取外し用端板であるワッシャ１４ａが装着されている。このワッシャ１４ａを図２の左方向に押すことにより、その力が芯体３に伝達され、清拭部材２を簡単に外すことができる。
【００３３】
図３は、清拭装置１の図２における切断面線ＩＩＩ−ＩＩＩから見た横断面図である。液供給口５を有する回転軸４に、芯体３と一体に形成された清拭部材２が装着されている。吸引部２６に装着された補助ローラ６と、清拭部材２が当接している。吸引部２６には吸引チャンバー８、吸引口９が設けられている。さらに、この吸引チャンバー８の内部に、液供給パイプ２４が貫通しており、このパイプ２４の一端はブラケット２７に設けられた先端液吐出口１０に繋がっている。
【００３４】
図４は、清拭装置本体１の背面図である。固定部２８に、液供給パイプ２０、液供給パイプ２４、吸引パイプ２２が装着されている。
【００３５】
図５は、清拭部材２と端板１４ａ，１４ａ１を示す斜視図である。清拭部材２の軸線方向の両端部には、端板１４ａ，１４ａ１が配置される。
【００３６】
図６は、回転軸４の断面図である。清拭部材２を構成する清拭部材本体２ａは、外部から圧力が作用しない自然状態で示される。端板１４ａは、清拭部材本体２ａの自然状態の外径よりも小さい外径を有し、したがって清拭部材本体２ａの外表面が人体に接触して清拭作業を行う際、清拭部材本体２ａが半径方向内方に窪んで変形しても、端板１４ａが人体に接触することはなく、清拭作業を確実に行うことができる。
【００３７】
図７は、吸引部２６の一部を切欠いて示す斜視図である。吸引部２６は、底板４５と、その幅方向（図３の左右方向）から清拭部材２に向けて立ち上がる側壁４６，４７と、これらの側壁４６，４７の清拭部材２寄りの頂部に連なる頂板４８，４９が連なり、これによって吸引チャンバー８が形成される。これらの一対の頂板４８，４９は、接続部５１で窪んだ軸直角断面Ｖ字状に組合わされて構成される。各頂板４８，４９には、軸線方向に沿って細長く延びる吸引口９が軸線方向に間隔をあけて複数個形成される。頂板４８に形成された吸引口９ａと、もう１つの頂板４９に形成された吸引口９ｂとは、吸引部２６の長手軸線方向に細長く形成され、しかもその軸線方向に千鳥状にずれて形成される。参照符９ａ，９ｂを総括的に参照符９で示す。液供給パイプ２４は、吸引チャンバー８内に敷設される。この吸引チャンバー８には、前述のように吸引孔２３が臨み、汚物および液体を吸引するために負圧とされる。
【００３８】
本発明の実施の他の形態では、吸引チャンバー８の軸線方向に沿って図７の参照符２３ａで示されるように吸引管が配置され、この吸引管には、吸引チャンバー８の空間に連通する複数の吸引孔２３ａ１が軸線方向に沿って形成され、吸引チャンバー８内の汚物および液体を、管２３ａに形成された吸引孔２３ａ１から吸引するように構成してもよい。
【００３９】
図８は、本発明の清拭装置１全体のシステムを説明するための図である。液供給パイプ２０および液供給パイプ２４は、それぞれ液体ポンプ３２および液供給ポンプ３３を介して、液タンク３４内に貯えられた液３５内に達している。
【００４０】
吸引パイプ２２は、吸引タンク３６に結合されている。この吸引タンク３６には、負圧源である真空ブロアー３０が装着されており、吸引タンク３６内の圧力を絶えず負圧に保っている。さらに、この吸引タンク３６内に廃液タンク３７が設けられており、吸引パイプ２２の一端は、廃液タンク３７の上層部に配置されていて、吸引パイプ２２より汚物もしくは廃液が排出されてきたとき、汚物および廃液は、廃液タンク３７内に落下し、吸引パイプ３６内の圧力は絶えず負圧の状態に保持される。
【００４１】
液供給ポンプ３２，３３および真空ブロアー３０は、リモート操作ボックス４０と清拭制御装置４１により、供給する液体の流量および吸引部の吸引力を制御される。清拭制御装置４１は、周知の自動制御手段により、液供給ポンプ３２の液供給量に応じて自動的に真空ブロアー３０の吸引力を調整できるようになっている。
【００４２】
図１〜図８に示される実施の形態の構成および動作を、さらに説明する。作業者が手で把持することのできる装置本体２８に設けられる液体供給手段は、装着孔６７に挿通し、清拭部材と軸線まわりに一体的に回転し、液体を供給する同軸の液体供給孔５を有する回転軸４と、回転軸の基端部に設けられる回転管継手６８と、回転管継手に接続される液体供給用可撓管２０と、液体供給用可撓管に液体を圧送する液体源３２，３４とを含む。回転駆動手段は、装置本体に設けられ、清拭部材を、その軸線まわりに回転駆動する。この回転駆動手段は、装置本体２８に設けられ、回転軸４の前記基端部を、回転軸線まわりに回転駆動する出力軸６９を有する回転駆動源１７，１８と、回転軸４の前記基端部と、回転駆動源の出力軸とを接続するたとえば軸線方向に離脱可能なスプラインなどの軸継手７０とを含む。
【００４３】
芯体３は、液体供給手段の回転軸４に、その回転軸の遊端部に向けて軸線方向に取外し可能に装着される。回転軸の基端部寄りで、清拭部材本体と芯体との端面に当接する取外し用端板１４ａが設けられる。この取外し用端板は、回転軸が挿通する挿通孔７３を有し、清拭部材本体の自然状態の外径よりも小さい外径を有する剛性の偏平な環状に形成される。
【００４４】
除去手段は、装置本体に設けられ、清拭部材の前記表面に付着した汚物と液体供給孔１４を経て供給された液体とを、清拭部材の人体に接触する表面から、周方向にずれた位置で、負圧吸引して除去する。この除去手段は、装置本体に基端部が設けられ、清拭部材の外側方で清拭部材に沿って延びるハウジング２６であって、このハウジングには、吸引チャンバー８が形成され、清拭部材に臨んで吸引チャンバー８に連なる吸引口９が形成されるハウジング２６と、ハウジングの吸引チャンバー８に接続される吸引用可撓管２２と、吸引用可撓管に接続される負圧源３０，３６，３７，３９とを含む。除去手段はさらに、補助ローラ６ａ，６ｂを有する。この補助ローラ６ａ，６ｂは、清拭部材とハウジングとの間に配置され、清拭部材本体の表面に、清拭部材本体の全長にわたって、接触し、装置本体に回転自在に設けられる。補助ローラは、清拭部材の回転方向に沿うハウジングの幅内で、清拭部材本体の周方向に間隔をあけて複数本設けられる。
【００４５】
補助回転駆動手段補助ローラをその補助ローラの軸線まわりに回転駆動する。この補助回転駆動手段は、本発明の他の実施例では、回転軸４の動力を補助ローラの基端部に伝達する歯車列を含み、汚物を吸引チャンバー８に確実に導くように、回転駆動されてもよい。
【００４６】
補助液体供給手段は、液吐出口１０に接続され、ハウジングの吸引チャンバー内に配設され、装置本体が外方に延びる補助液体用可撓管２４と、補助液体用可撓管に補助液体を圧送する補助液体源３３，３４とを含む。清拭部材に液体を供給する液体供給手段の液体源３２，３４は、流量制御可能であり、除去手段の負圧源３０，３６，３７，３９は、吸引流量を制御可能である。制御手段４１は、手動操作４０によって、液体の流量を大きくするにつれて、負圧源の吸引流量を大きくまたは負圧の絶対値を大きく制御する。
【００４７】
図９〜図１１は、本発明の他の実施の形態を示し、図９は清拭装置１ａの断面図であり、図１０は図９の切断面線Ｘ−Ｘから見た断面図であり、図１１は図１０に対応する清拭部材２付近の簡略化した拡大断面図である。この図９〜図１１に示される実施の形態は、前述の図１〜図８の実施の形態に類似し、対応する部分には同一の参照符を付す。特にこの実施の形態では、清拭部材２の表面に付着した固形もしくは半固形の汚物を粉砕して、流動性を高め廃棄し易くする。この実施の形態では、前述の特に図２および図３の一部に変更を加えたものである。
【００４８】
その構造を詳しく説明する。図１０において、補助ローラ６ａ，６ｂは図３にて説明した補助ローラ６と同じものであり、それぞれの補助ローラ軸７ａ，７ｂは、回転可能な状態で装置本体である固定部２８に装着されている。回転駆動ローラ６１は、軸７１に装着されている。図１０に示すように、この回転駆動ローラ６１の軸７１の一端に平歯車６２が固着されている。この平歯車６２は、前述の端板であるワッシャの働きを兼ねる歯車１４ｂと噛み合っている。歯車１４ｂは、回転軸４に、たとえばスプラインなどによって軸線方向に装脱着可能かつ回転力伝達可能な状態で装着されている。これにより、回転駆動ローラ６１は、モータ１８の動力により回転駆動する。もう１つの回転補助ローラ６３は、回転駆動ローラ６１と対抗し、軸６４に回転可能な状態で装着されている。回転駆動ローラ６１および回転補助ローラ６３の表面には、凹凸、たとえばローレットが形成されており、固形汚物を粉砕し易い工夫がなされている。
【００４９】
図１１を使用して、上述した固形汚物が粉砕される状況を説明する。図１１において、ロール状清拭部材２、補助ローラ６ａ，６ｂ、回転駆動ローラ６１、回転補助ローラ６３は、それぞれ図１１の矢印方向７５，７６；７７，７８に回転している。補助ローラ６ａ，６ｂは清拭部材２の回転力による連れ回りであり、これらの補助ローラ６ａ，６ｂは、清拭部材本体２ａの表面に接触して従動する。回転補助ローラ６３は回転駆動ローラ６１の回転力による連れ回りであり、これらのローラ６１，６３は、清拭部材本体２ａの半径方向外方（図１１の下方）に間隔をあけて配置され、しかもローラ６１，６３は相互に接触し、ローラ６１が前述のように回転駆動されることによって、ローラ６３は従動する。
【００５０】
清拭部材２の表面に付着した固形汚物８０は、清拭部材２と補助ローラ６ａとの間に挟まれ、かつ、前述の負圧吸引力の働きで、図１１の右方の内部に引き込まれる。さらに、内部に入った固形汚物８１は、回転駆動ローラ６１の働きで、回転駆動ローラ６１と回転補助ローラ６３との間に到達し、ここで図１１の下方に引き込まれ、両ローラ６１，６３の作用で粉状の汚物８３に破砕されて粉砕流動化される。
【００５１】
図９〜図１１に示される実施の形態の構成および動作をさらに述べる。除去手段はさらに、一対の破砕ローラ６１，６３を有する。これらのローラ６１，６３は、清拭部材とハウジングとの間に、清拭部材本体の周方向に隣接して配置され、清拭部材本体の全長にわたって延び、装置本体に回転自在に設けられる。破砕ローラは、清拭部材の回転方向に沿う複数本の補助ローラ６ａ，６ｂ相互間に配置される。破砕駆動手段は、破砕ローラを、それらの軸線まわりに相互の逆回転方向に、清拭部材本体の表面に付着している汚物を挟み込む。回転駆動する。この破砕駆動手段は、前記回転軸４の動力を破砕ローラの基端部に伝達する歯車列１４ｂ，６２を含む。
【００５２】
図１２は、本発明の実施のさらに他の形態の清拭部材本体２ｂの一部を示す斜視図である。清拭部材本体２ｂには、周方向に連なる凹溝７９が、清拭部材本体２ｂの軸線方向に隣接して多数形成される。この凹溝７９に、人体に付着している汚物が嵌り込み、清拭を確実に行うことができる。その他の構成と動作は、前述の実施の各形態と同様である。
【００５３】
【発明の効果】
本発明によれば、たとえば老人などの被介護者の排便、排尿後のおむつを取外した後、その人体を容易に清浄化することができる。特に、清拭部材をロール状にすることにより、狭い空間での清拭作業が行い易く、かつ、ロール状清拭部材を回転させ、これに付着した汚物を洗浄液と一緒に吸引して除去することにより、絶えず清拭部材表面を清潔に保持することができる。
【００５４】
また、ロール状清拭部材を取り付けている回転軸の一方の端部を開放する構造にするとともに、ロール状清拭部材の中心部に芯体を持たせることにより、簡単に清拭部材を装脱着することが可能である。これにより、ロール状清拭部材を使い捨て方式で使用し、介護者の手を煩わせることを減少できる。
【００５５】
また、吸引部であるハウジングに設けられた補助ローラにより、ロール状清拭部材の回転をスムーズに行わせるとともに、清拭部材を適度に擦ることにより、清拭部材の洗浄を確実に行うことができる。
【００５６】
また、必要により清拭装置の先端部の液吐出口より洗浄液を吐出させることができるため、人体の汚れのひどい部分に直接に洗浄液をかけ、洗浄することが容易にできる。
【００５７】
また、ロール状清拭部材への洗浄液の供給流量は、人体の汚れ具合に応じて適宜調整する必要があるが、このとき、吸引圧力も調整する必要がある。本発明によれば、洗浄液の供給流量のみ変更することにより、自動的に吸引圧力を変更することが可能である。
【００５８】
また、ロール状清拭部材に付着した固形汚物を粉砕流動化することにより、廃液の流路内で、固形汚物が詰まることなく確実に廃棄させることができる。
この清拭装置は人体の清拭を主目的とするものであるが、人体以外の清掃機器として利用できることは言うまでもない。
【図面の簡単な説明】
【図１】本発明の実施の一形態の清拭装置１の構成を簡略化して示す斜視図である。
【図２】清拭装置本体１の縦断面図である。
【図３】清拭装置１の図２における切断面線ＩＩＩ−ＩＩＩから見た横断面図である。
【図４】清拭装置本体１の背面図である。
【図５】清拭部材２と端板１４ａ，１４ａ１を示す斜視図である。
【図６】回転軸４の断面図である。
【図７】吸引部２６の一部を切欠いて示す斜視図である。
【図８】本発明の清拭装置１全体のシステムを説明するための図である。
【図９】清拭装置１ａの断面図である。
【図１０】図９の切断面線Ｘ−Ｘから見た断面図である。
【図１１】図１０に対応する清拭部材２付近の簡略化した拡大断面図である。
【図１２】本発明の実施のさらに他の形態の清拭部材本体２ｂの一部を示す斜視図である。
【符号の説明】
１  清拭装置
２  ロール状清拭部材
２ａ，２ｂ  清拭部材本体
３  芯体
４  回転軸
６  補助ローラ
８  吸引チャンバー
１０  先端液吐出口
１１  軸受
１７  減速機
１８  モータ
１９  モータカバー
２０，２４  液供給パイプ
２２  吸引パイプ
２６  吸引部
２８  固定部
３０  真空ブロアー
３２，３３  液供給ポンプ
３４  液タンク
３６  真空タンク
３７  廃液タンク
４０  リモート操作ボックス
４１  清拭制御装置
６１  回転駆動ローラ
６３  回転補助ローラ
【図１】
0003683882.tif 000002
【図２】
0003683882.tif 000003
【図３】
0003683882.tif 000004
【図４】
0003683882.tif 000005
【図５】
0003683882.tif 000006
【図６】
0003683882.tif 000007
【図７】
0003683882.tif 000008
【図８】
0003683882.tif 000009
【図９】
0003683882.tif 000010
【図１０】
0003683882.tif 000011
【図１１】
0003683882.tif 000012
【図１２】
0003683882.tif 000013